(57)【要約】      （修正有）【課題】１つの景品展示構造体で、店舗に応じた多様な使い方が可能な景品取得遊戯装置を提供する。【解決手段】景品を把持した景品把持部をプレイ空間内で移動して、景品を景品落下口に導き、景品を取得する景品取得遊戯装置の景品展示構造体は、プレイ空間の背面板を取り外した際に生じる背面開口より大きい外寸で且つ内寸が背面開口未満であり、背面開口の外縁に取り付けるための外縁部１４と、外縁部１４を固定し、且つ背面開口の内寸以下の外寸を有し、所定の奥行を有し、景品を展示するための枠体部１２と、枠体部１２で囲まれた前後の何れかの開口面を塞ぐことが可能な枠体部に着脱可能な塞ぎ部１８とを有する。【選択図】図２
2014004176.tif 000002
【特許請求の範囲】
【請求項１】
遊戯者の操作により、景品をプレイ空間内で移動して、前記景品を景品落下口に導くことで景品を取得する景品取得遊戯装置の景品展示構造体であって、
前記プレイ空間の背面板を取り外した際に生じる背面開口より大きい外寸で且つ内寸が前記背面開口未満であり、前記背面開口の外縁に取り付けるための外縁部と、
該外縁部を固定し、且つ前記背面開口の内寸以下の外寸を有し、所定の奥行を有し、前記景品を展示するための枠体部と、
該枠体部で囲まれた前後の何れかの開口面を塞ぐことが可能な枠体部に着脱可能な塞ぎ部と、
を有することを特徴とする景品展示構造体。
【請求項２】
請求項１において、
前記外縁部を前記背面開口の外縁に固定する固定手段
を有することを特徴とする景品展示構造体。
【請求項３】
請求項２において、
前記固定手段は、前記外縁部及び背面開口部の外縁の左右対称位置に対応して設けた
ことを特徴とする景品展示構造体。
【請求項４】
請求項1乃至３の何れかにおいて、
前記枠体部内に設けられ、且つ着脱可能な棚部を有する
ことを特徴とする景品展示構造体。
【請求項５】
請求項1乃至４の何れかにおいて、
前記枠体部に着脱可能な照明部を有する
ことを特徴とする景品展示構造体。
【請求項６】
請求項1乃至５の何れかにおいて、
前記景品展示構造体は各部材が組立分解可能に構成されている
ことを特徴とする景品展示構造体。
【請求項７】
遊戯者の操作により、景品をプレイ空間内で移動して、前記景品を景品落下口に導くことで景品を取得する景品取得遊戯装置であって、
請求項1乃至６の何れかの景品展示構造体を背面開口部に設けた
ことを特徴とする景品取得遊戯装置。
【発明の詳細な説明】
【技術分野】
【０００１】
本発明は、遊戯者の操作によりクレーン部のプレイ空間の移動を制御して、把持した景品を景品排出口に移動して前記景品の取得を行う景品取得遊戯装置及びそのための景品を展示する景品展示構造体に関する。
【背景技術】
【０００２】
景品取得遊戯装置は、遊戯者の操作によりクレーン部を移動制御して、クレーン部が把持した景品を，排出口に移動して景品を取得する過程を楽しむゲーム装置である。
【０００３】
この景品取得遊戯装置においては、提供する景品をアピールするためにプレイ空間に保管展示することは、遊戯者の興味を誘い、遊戯者に景品取得遊戯装置の使用を促進する。従来、この景品を保管展示する構成として、プレイ空間の背面側に景品を遊戯者から見える場所に展示しつつ保管する種々の構成が、提案されている。
【０００４】
特許文献１では、プレイ空間内でクレーンの動く範囲の外側に展示専用の景品展示保管部（プライズストッカー）を設けることが提案されている。又、特許文献２では、景品取得遊戯装置とは別体でプライズストッカーを用意し、プレイ空間内に景品が無くなると、店舗スタッフがプライズストッカーから景品を取り出してプレイ空間内に補充することが提案されている。
【先行技術文献】
【特許文献】
【０００５】
【特許文献１】特開２０１０−１４２２８０号公報（図３Ａ）
【特許文献２】特許第４５３４５４１号公報（図４）
【発明の概要】
【発明が解決しようとする課題】
【０００６】
従来の前者の構成では、プレイ空間内のデッドスペースを景品陳列用に利用するものであるため、陳列する景品には限りがある。また従来の後者の構成では、景品取得遊戯装置とは、別の装置として、景品陳列台を設けるため、景品陳列台の設置面積が必要となる。
【０００７】
このように景品取得遊戯装置を設置した店舗では、店舗面積や設置場所等に応じて、景品の陳列にあたり、これらのプライズストッカーのいずれかを選択して使うことになるため、どちらも予め用意しておく必要があり、購入コストがかかり、保管場所も必要であった。
【０００８】
本発明は、１つの景品展示構造体で、店舗に応じた多様な使い方が可能な景品取得遊戯装置及びそのための景品を展示する景品展示構造体を提供することを目的とする。
【課題を解決するための手段】
【０００９】
上記の目的を達成する本発明に従う景品取得遊戯装置の景品展示保管体の一側面は、遊戯者の操作により、景品をプレイ空間内で移動して、前記景品を景品落下口に導くことで景品を取得する景品取得遊戯装置の景品展示構造体であって、前記プレイ空間の背面板を取り外した際に生じる背面開口より大きい外寸で且つ内寸が前記背面開口未満であり、前記背面開口の外縁に取り付けるための外縁部と、該外縁部を固定し、且つ前記背面開口の内寸以下の外寸を有し、所定の奥行を有し、前記景品を展示するための枠体部と、該枠体部で囲まれた前後の何れかの開口面を塞ぐことが可能な枠体部に着脱可能な塞ぎ部とを有する。
【００１０】
又、本発明の景品展示保管体の他の側面は、前記外縁部を前記背面開口の外縁に固定する固定手段を有する。更に、景品展示構造体の他の側面は、前記固定手段は、前記外縁部及び背面開口部の外縁の左右対称位置に対応して設けた。更に、景品展示構造体の他の側面は、前記枠体部内に設けられ、且つ着脱可能な棚部を有する。更に、景品展示構造体の他の側面は、前記枠体部に着脱可能な照明部を有する。更に、景品展示構造体の他の側面は、前記景品展示構造体は各部材が組立分解可能に構成されている。 
【発明の効果】
【００１１】
景品を載せる枠体部に外縁部を設け、景品取得遊戯装置の背面開口の縁に外縁部（フランジ）を固定することで、景品取得遊戯装置のプレイ空間内に向けて、あるいは景品取得遊戯装置の背面外側に突出させて、取り付けることができ、且つ景品展示構造体の外側に位置する開口部を塞ぎ部で塞ぐことでき、景品取得遊戯装置の内側、外側向きの２通りの取り付けが選択できる。
【００１２】
これにより、店舗においては、設置場所の状況に応じて、景品の展示保管場所として、景品取得遊戯装置内部のみとしたり、景品取得遊戯機の背面外方に突出して設けたり、その場にあった展示保管を選択できる。
【図面の簡単な説明】
【００１３】
【図１】本発明の一実施の形態の景品取得遊戯装置の斜視図である。
【図２】図１の構成における景品展示構造体の分解斜視図である。
【図３】図２の景品展示構造体を景品取得遊戯装置の外部に取り付けるための景品展示構造体の組立図である。
【図４】図２の景品展示構造体を景品取得遊戯装置の内部に取り付けるための景品展示構造体の組立図である。
【図５】図３及び図４の景品展示構造体を景品取得遊戯装置の背面に取り付ける説明のための背面斜視図である。
【図６】図３及び図４の景品展示構造体を取り付けた景品取得遊戯装置の背面斜視図である。
【発明を実施するための形態】
【００１４】
以下に図面に従い，本発明の実施の形態例を説明する。なお，実施の形態例は本発明の理解のためのものであり，本発明の技術的範囲がこれに限定されるものではない。
【００１５】
特に，以下実施例において、景品取得遊戯装置として水平、垂直方向にクレーンを移動して、景品を把持して、景品放出口に導く装置で説明するが、本発明の適用においては、他の形態のクレーンを用いた景品取得遊戯装置であってもよい。
【００１６】
（景品取得遊戯装置）
図１は、一実施の形態の景品取得遊戯装置の外観斜視図である。尚、図１において、装置外部の化粧板を取り除いた景品遊戯装置を示す。図１において、景品取得遊戯装置の装置筐体１００は，３方をガラス等で内部を透視可能に囲った上半部と，制御機構部が収容される下半部で構成される筐体構造を成している。
【００１７】
この装置筐体１００は、２つのプレイ空間Ａ、Ｂを備え、複数の遊戯者がクレーンゲームを利用できる。各プレイ空間Ａ、Ｂには、各々クレーン２−１，２−２が設けられている。この上半部内に，図示しない景品が展示可能のステージ１１０-１，１１０−２が備えられている。ステージ１１０-１，１１０−２の一角に，クレーン２−１，２−２で取得された景品を遊戯者に排出するための景品排出口１０５-１，１０５−２が配置されている。この景品排出口１０５-１，１０５−２に繋がって筐体下半部に景品取り出し口１１５-１，１１５−２が設けられている。
【００１８】
さらに、各ステージ１１０−１，１１０−２に対する筐体天井部から，クレーン２−１，２−２が，図１では示されていない昇降機構により昇降される軸３−１，３−２の下方部に吊り下げられている。クレーン２−１、２−２は、一対の把持アーム２ａ，２ｂを有し、景品を把持することができる。また、クレーン２−１，２−２の軸３−１、３−２は、昇降機構（図示せず）により昇降可能であり、且つ昇降機構は、装置筐体１００の天井部に設けた水平移動機構（図示せず）により水平方向に移動可能である。
【００１９】
従って、クレーン２−１，２−２の昇降機構は、水平移動機構により、Ｘ方向とＹ方向に移動し、クレーン２−１，２−２の把持アーム２ａ，２ｂは、昇降機構により、紙面の上下方向に昇降する。
【００２０】
又、クレーン２−１，２−２のヘッド部に，把持アーム２ａ，２ｂの開閉動作を行うモータ及び把持力調整用モータを有している。把持アーム２ａ，２ｂは、図示しないスプリングによりヘッド部方向に挟み力を付与されている。
【００２１】
一方，装置筐体１００の外部側には，遊戯者に操作される操作パネル１０１が備えられる。操作パネル１０１には，コイン投入口１０４−１、１０４−２，投入金額，ゲーム回数等を表示する表示部１０３−１，１０３−２，更に，遊戯者によりクレーン移動を指示する制御ボタン１０２−１，１０２―２を有している。
【００２２】
制御ボタン１０２−１，１０２−２は、少なくとも２つのボタン１０２Ａ，１０２Ｂで構成され、第１のボタン１０２Ａが、クレーンのＸ方向（紙面横方向）の移動を指示し、第２のボタン１０２Ｂが、クレーンのＹ方向（紙面奥方向）の移動を指示する。この例では、第３のボタン１０２Ｃを設け、他の必要な操作に使用できる。
【００２３】
この景品取得遊戯装置１００の動作を説明する。遊戯者によりコインがコイン投入口１０４−１に投入されたことをセンサにより検知すると、装置のＣＰＵはゲーム制御を開始し，先ず遊戯者により制御ボタン１０２−１のＡボタン１０２Ａが押下されたかを判断する。Ａボタン１０２Ａが押下されていると，Ａボタン１０２Ａが押下されている間，クレーン２−１又は２−２をＸ方向に移動する。そして，Ａボタンの押下が離されると，Ｘ方向の移動を停止する。
【００２４】
ついで，ＣＰＵは，遊戯者により制御ボタン１０２−１のＢボタン１０２Ｂが押下されたかを判断する。Ｂボタンが押下されていると，Ｂボタンが押下されている間，クレーン２−１をＹ方向に移動する。そして，Ｂボタンの押下が離されると，Ｙ方向の移動を停止する。
【００２５】
Ｙ方向の移動が停止されると，把持アーム２ａ，２ｂの開動作を行い、昇降機構により軸３−１の下降を開始し，軸３−１の下降下限を検知して停止する。軸３−１の下降下限の検知は，図示しない下降位置センサで検知することにより行われる。
【００２６】
クレーン２−１の移動制御で，位置を確定したので，把持アーム２ａ，２ｂの引き上げ動作を行い，把持アーム２ａ，２ｂにより景品を掴んでいれば，景品排出部１０５に景品を落とす動作を実行する。
【００２７】
遊戯者によりコインがコイン投入口１０４−２に投入された場合には、プレイ空間Ｂのクレーン２−２も同様な動作を行う。
【００２８】
このような景品獲得遊戯装置において、装置筐体（景品取得遊戯装置）１００の背面に、景品展示構造体（以下、プライズストッカーという）１０−１，１０−２が設けられる。プライズストッカー１０−１，１０−２は、遊戯者の正面に位置し、遊戯装置の景品を展示しておくものである。又、店舗にとっては、景品の保管場所にもなり、店舗に景品保管場所のスペースを別に設ける必要がないというメリットがある。
【００２９】
本実施の形態では、プライズストッカーが装置筐体１００の内部及び外部に選択的に取り付けられる構成をなしている。これにより、店舗においては、設置場所の状況に応じて、景品の展示保管場所として、景品取得遊戯装置内部のみとしたり、景品取得遊戯装置の背面外方に突出して設けたり、店舗内のその場にあった展示保管を選択できる。
【００３０】
また、後述するように、枠体部内に棚部を設け景品を載置することができ、枠体部に照明部を取り付けることで、展示景品のライトアップができる。さらに景品展示構造体の収納時は分解収納できる。
【００３１】
（景品展示保管体）
図２は、図１の構成における景品展示構造体の分解斜視図である。プライズストッカー１０−１は、方形の枠体部１２と、外縁部（以下、外縁部材ともいう）１４と、塞ぎ部（以下、塞ぎ部材又は塞ぎ板ともいう）１８とを有する。
【００３２】
外縁部材１４は、フランジ形状をなし、図１の景品取得遊戯装置１００のプレイ空間の背面板を取り外した際に生じる背面開口より大きい外寸を有し、且つ内寸が背面開口未満の大きさである。枠体部１２は、外縁部材１４を固定し、且つ所定の奥行きを有する。この奥行き部が景品を搭載する部分である。
【００３３】
枠体部１２は、前記した背面開口の内寸以下の外寸を有する。塞ぎ部材１８は、枠体部１２で囲まれた前後の何れかの開口面を塞ぐ大きさを持つ板で構成され、枠体部１２に着脱可能である。
【００３４】
図２に示すように、プライズストッカー１０−１は、景品取得遊戯装置の背面開口に着脱可能な構成を有する。枠体部１２は、天板１２−１、底板１２−２、２つの側板１２−３，１２−４とで構成される。又、必要に応じて、枠体部１２に、棚板１３−１，１３−２が設けられる。この棚板１３−１，１３−２は、景品を置くのに都合が良い。
【００３５】
枠体部１２の両面の縁には、取り付け面１６が設けられる。又、図２では、枠体部１２の紙面裏面に外縁部材（フランジ）１４を取り付ける。この外縁部材１４を、景品取得遊戯装置１００の背面開口の縁に固定することにより、枠体部１２を、景品取得遊戯装置のプレイ空間内向けて取り付ける。
【００３６】
この場合、図２の枠体部１２の外縁部材１４を紙面手前方向に景品取得遊戯装置１００の背面開口の縁に固定することにより、景品取得遊戯装置１００内に、プライズストッカー１０−１を設置する。そして、枠体部１２の外縁部材１４に塞ぎ部材１８を取り付け、景品取得遊戯装置１００内に、プライズストッカー１０−１を設置する。
【００３７】
又、外縁部材１４を紙面後方に向けて景品取得遊戯装置１００の背面開口の縁に固定する。そして、枠体部１２の取り付け面１６にネジ等で塞ぎ部材１８を取り付けることにより、景品取得遊戯装置１００の背面外側に突出させて、プライズストッカー１０−１を設置する。
【００３８】
このように、プライズストッカー１０−１を、景品取得遊戯装置１００に対し、内側、外側向きの２通りの取り付けができる。
【００３９】
更に、詳細にプライズストッカーを説明する。図３は、図２の景品展示構造体を景品取得遊戯装置の外部に取り付けるための景品展示構造体の組み立て図である。図４は、図２の景品展示構造体を景品取得遊戯装置の内部に取り付けるための景品展示構造体の組み立て図である。
【００４０】
図３及び図４において、図１及び図２で示したものと同一のものは同一の記号で示してある。図３に示すように、外縁部材１４は、フレーム形状をなし、図１の景品取得遊戯装置１００のプレイ空間の背面板を取り外した際に生じる背面開口１００−１（図５で後述する）より大きい外寸を有し、且つ内寸が背面開口１００−１未満で枠体部１２の外形より大きい。
【００４１】
外縁部材１４は、上部フレーム１４−１、下部フレーム１４−３、２つの左右フレーム１４−２，１４−４とを有する。上部フレーム１４−１、下部フレーム１４−３には、図４の内部取り付け時に前述の塞ぎ板１８を取り付けるための複数（図では、３つ）の穴１５０と、景品取得遊戯装置１００の背面開口縁部に取り付けるための取り付け穴１４０，１４３が設けられている。左右フレーム１４−２，１４−４には、景品取得遊戯装置１００の背面開口縁部に取り付けるための取り付け穴１４１，１４２，１４４、１４５が設けられている。
【００４２】
一方、図４に示すように、枠体部１２の天板１２−１及び底板１２−２の縁には、取り付け面１６−１，１６−３が設けられる。各取り付け面１６−１，１６−３には、図３の外部取り付け時に前述の塞ぎ板１８を取り付けるための複数（図では、３つ）の穴１６０が設けられている。又、側板１２−３、１２−４の縁には、ランプ取り付け面１６−２，１６−４が設けられる。取り付け穴１４０、１４３は、フレーム１４−１、１４−３の中央にあり、取り付け穴１４１，１４２は、取り付け穴１４４，１４５と左右対称位置にある。
【００４３】
内部設置時には、図４に示すように、枠体部１２の後面から、枠体部１２の側板１２−３，１２−４に外縁部１４を取り付け、枠体部１２の各取り付け面１６−１，１６−３に、複数のアタッチメント（ランプ保持具）１７−１、１７−２、１７−５，１７−６を取り付ける。このアタッチメント１７−１、１７−２で、ＬＥＤランプ等のランプ１７０を上部に保持し、アタッチメント１７−５、１７−６で、ＬＥＤランプ等のランプ１７０を下部に保持する。
【００４４】
又、枠体部１２の各ランプ取り付け面１６−２，１６−４に、複数のアタッチメント（ランプ保持具）１７−３、１７−４、１７−７，１７−８を取り付ける。このアタッチメント１７−３、１７−４で、ＬＥＤランプ等のランプ１７０を右側部に保持し、アタッチメント１７−７、１７−８で、ＬＥＤランプ等のランプ１７０を左側部に保持する。
【００４５】
そして、外縁部１４に、外縁部１４の後ろから塞ぎ部材１８を外縁部１４の穴１５０に、固定手段（例えば、ボルト、ネジ等）で固定する。
【００４６】
一方、外部設置時には、図３に示すように、枠体部１２の前面から、枠体部１２の側板１２−３，１２−４に外縁部１４を取り付け、又、外縁部１４の上部フレーム１４−１、下部フレーム１４−３に、複数のアタッチメント（ランプ保持具）１７−１、１７−２、１７−５，１７−６を取り付ける。このアタッチメント１７−１、１７−２で、ＬＥＤランプ等のランプ１７０を上部に保持し、アタッチメント１７−５、１７−６で、ＬＥＤランプ等のランプ１７０を下部に保持する。
【００４７】
又、枠体部１２の側板１２−３、１２−４の縁には、ランプ取り付け面１６−２，１６−４が設けられる。各ランプ取り付け面１６−２，１６−４に、複数のアタッチメント（ランプ保持具）１７−３、１７−４、１７−７，１７−８を取り付ける。このアタッチメント１７−３、１７−４で、ＬＥＤランプ等のランプ１７０を右側部に保持し、アタッチメント１７−７、１７−８で、ＬＥＤランプ等のランプ１７０を左側部に保持する。
【００４８】
そして、枠体部１２の後ろから塞ぎ部材１８を枠体部１２の穴１６０に、固定手段（例えば、ボルト、ネジ等）で固定する。
【００４９】
このような枠体部１２の各部材１２−１〜１２−４、外縁部１４、塞ぎ部１８、棚板１３−１，１３−２は、ばらばらの状態で提供され、店舗等で各部材を連結し、枠体部１２を構築し、更に、プライズストッカーを構築できる。同様に、ランプやアタッチメントも別々に提供し、店舗等で組み立てることができる。このため、店舗へ、製品でなく、キットで運送でき、運送コストを低減できる。
【００５０】
又、組み立てができることは、分解もできるため、店舗でプライズストッカーを使用しない時に（仕舞っておく時に）、保管スペースを削減できる。
【００５１】
図５は、図３及び図４の景品展示構造体を景品取得遊戯装置に取り付ける説明のための背面斜視図である。図６は、図３及び図４の景品展示構造体を取り付けた景品取得遊戯装置の背面斜視図である。
【００５２】
図５に示すように、景品取得遊戯装置１００の背面板（図示せず）を取り外すと、背面開口１００−１が現れる。この図では、図１で示した２つのプレイ空間Ａ，Ｂを有するため、対応する２枚の背面板を外した状態を表す。この背面開口１００−１の四辺の外周１００−２には、背面板を取り付ける穴が存在する。そして、図３のプライズストッカー１０−１を背面開口１００−１の左側、図４のプライズストッカー１０−２を背面開口１００−１の右側に取り付ける。
【００５３】
この時、各プライズストッカーの外縁部１４の取り付け穴１４０〜１４５は、背面開口１００−１の四辺の外周１００−２の背面板を取り付ける穴の位置に対応している。このため、図６に示すように、各プライズストッカーの取り付け穴１４０〜１４５を、背面開口１００−１の四辺の外周１００−２の背面板を取り付ける穴に位置付け、ボルト等の固定部材で固定することにより、図３のプライズストッカー１０−１を背面開口１００−１の左側、図４のプライズストッカー１０−２を背面開口１００−１の右側に取り付けることができる。
【００５４】
即ち、各プライズストッカーの外縁部１４の取り付け穴１４０〜１４５の位置を背面開口１００−１の四辺の外周１００−２の背面板を取り付ける穴の位置に合わせることにより、背面板の取り付け機構を利用して、プライズストッカーを取り付けることができる。
【００５５】
又、景品を載せる枠体部に外縁部を設け、外縁部の外寸を背面板を取り外した際に生じる背面開口より大きく、内寸を前記背面開口未満としたため、枠体部に取り付けた外縁部を背面開口の外縁に取り付けることができる。
【００５６】
しかも、外縁部を固定し、景品を展示するための枠体部が、前記背面開口の内寸以下の外寸を有するため、背面開口に進入でき、内部設置の阻害とならない。
【００５７】
（他の実施の形態）
又、枠体部１２は、別体の板で説明したが、一体であっても良く、枠体部１２と外縁部１４が一体であっても良い。更に、景品取得遊戯装置は、図１のものに限らず、景品を移動して、取得する構成の他の形態のものに適用できる。
【００５８】
更に、図５では、景品取得遊戯装置の背面板を取り外し、プライズストッカーを外部から取り付ける説明をしているが、プライズストッカーを景品取得遊戯装置の内部に取り付ける場合では、背面板を取り外すことなく、内部からも取り付ける方法でも良い。
【００５９】
尚、上記実施例では上方からクレーンで景品を把持して取得するクレーン式について説明したが、本願はクレーン式に限らない。すなわち、景品展示構造体が見える形式で景品取得ゲームを行うのであれば、プレイ空間内での景品の取得方法は問わない。
【産業上の利用可能性】
【００６０】
景品を載せる枠体部に外縁部を設け、景品取得遊戯装置の背面開口の縁に外縁部（フランジ）を固定することで、景品取得遊戯装置のプレイ空間内に向けて、あるいは景品取得遊戯装置の背面外側に突出させて、取り付けることができ、且つ景品展示構造体の外側に位置する開口部を塞ぎ部で塞ぐことでき、景品取得遊戯装置の内側、外側向きの２通りの取り付けが選択できる。
【００６１】
これにより、店舗においては、設置場所の状況に応じて、景品の展示保管場所として、景品取得遊戯装置内部のみとしたり、景品取得遊戯機の背面外方に突出して設けたり、その場にあった展示保管を選択できる。また、枠体部内に棚部を設け景品を載置することができ、枠体部に照明部を取り付けることで展示景品のライトアップができる。さらに景品展示構造体の収納時は分解収納できる。
【符号の説明】
【００６２】
Ａ，Ｂ  プレイ空間
２-１，２−２  クレーン
２ａ，２ｂ  把持アーム
３-１，３−２  軸
１０−１，１０−２  景品展示保管体（プライズストッカー）
１２  枠体部
１２−１〜１２−４  枠体板
１３−１，１３−２  棚板
１４  外縁部
１４−１〜１４−４  外縁フレーム
１６−１〜１６−４  取り付けフランジ
１８  塞ぎ部
１００  景品取得遊戯装置の筐体
１００−１  背面開口
１０１  操作卓
１０５−１，１０５−２  景品排出口
１１５−１，１１５−２  景品取り出し口
１１０−１，１１０−２  ステージ
１４０〜１４５  固定用穴
１７０  ランプ（照明部材）
【図１】
2014004176.tif 000003
【図２】
2014004176.tif 000004
【図３】
2014004176.tif 000005
【図４】
2014004176.tif 000006
【図５】
2014004176.tif 000007
【図６】
2014004176.tif 000008